(57)【要約】【課題】  端末間で電子ペンなどの転送支援装置を用いて情報転送を行う場合に、その転送支援装置が備えるメモリ容量に制限されることなく、端末間で情報転送を行う。【解決手段】  転送支援装置と端末とを包含する端末間情報転送システムであって、前記転送支援装置が、転送支援情報を格納する記憶部とアンテナ部とを備え、前記端末が、前記転送支援情報を、前記転送支援装置が備える記憶部からそのアンテナ部経由で読み取るリーダー部と、ネットワーク通信を行う通信部と、を備え、前記リーダー部が、前記転送支援情報を、前記転送支援装置が備える記憶部からそのアンテナ部経由で読み取り、前記通信部が、この読み取った転送支援情報を基に、他の端末との間で情報転送を行う。【選択図】図１
2005293240.tif 000002
【特許請求の範囲】
【請求項１】
転送支援装置と端末とを包含する端末間の情報転送システムであって、
前記転送支援装置が、
転送支援情報を格納する記憶部と、
受信した電波を用いてその記憶部の情報を発信するアンテナ部と、
を備え、
前記端末が、
前記転送支援情報を、前記転送支援装置が備える記憶部からそのアンテナ部経由で読み取るリーダー部と、
ネットワーク通信を行う通信部と、
を備え、
前記リーダー部が、前記転送支援情報を、前記転送支援装置が備える記憶部からそのアンテナ部経由で読み取り、
前記通信部が、この読み取った転送支援情報を基に、他の端末との間で情報転送を行う、
端末間情報転送システム。
【請求項２】
前記転送支援情報は転送先端末の識別子であり、
転送元端末が保有する情報のうち転送しようとする任意情報をその転送元端末が備える表示面を介して指示すると、その転送元端末が、前記転送支援装置が備える記憶部から読み取った転送支援情報が示す転送先端末へ、前記指示された任意情報を転送する、
請求項１に記載の端末間情報転送システム
【請求項３】
前記転送支援情報は転送元端末が保有する情報へのポインタであり、
前記端末が、前記転送支援装置が備える記憶部へ情報をそのアンテナ部経由で書き込むライター部をさらに備え、
転送元端末が保有する情報のうち転送しようとする任意情報をその転送元端末が備える表示面を介して指示すると、その転送元端末が、前記指示された情報へのポインタを前記ライター部にて前記記憶部へ書き込み、
さらに、転送先端末が備える表示面を指示すると、その転送先端末が、前記記憶部から転送支援情報を読み込み、この転送支援情報で示すポインタを用いて転送元端末から情報を取得する、
請求項１に記載の端末間情報転送システム
【請求項４】
端末間で情報転送するためのシステムであって、
転送元端末と、
転送先を特定するための転送先特定情報を格納した記憶部を備える転送支援装置と、
を備え、
前記転送元端末が、
転送候補を表示するためのディスプレイと、
そのディスプレイに表示された転送候補のうち転送しようとするものを利用者に選択させる入力手段と、
前記転送支援装置が備える記憶部から、前記転送先特定情報を読み取る読み取り手段と、
前記選択された転送候補を、前記転送先特定情報により特定される転送先へ送信する手段と、
を備える端末間情報転送システム。
【請求項５】
端末間で情報転送するためのシステムであって、
転送元端末と、
転送先端末と、
記憶部を備える転送支援装置と、
を備え、
前記転送元端末が、
転送候補を表示するためのディスプレイと、
そのディスプレイに表示された転送候補のうち転送しようとするものを利用者に選択させる入力手段と、
前記選択された転送候補へアクセスするための情報を、前記転送支援装置が備える記憶部に書き込む書き込み手段と、
を備え、
前記転送先端末が、
保存先候補を表示するためのディスプレイと、
そのディスプレイに表示された保存先候補のうち保存先にしようとするものを利用者に選択させる入力手段と、
前記転送支援装置が備える記憶部から、前記選択された転送候補へアクセスするための情報を読み取る読み取り手段と、
前記選択された転送候補へアクセスするための情報に基づいて、転送元端末からその選択された転送候補を取得し、前記選択された保存先へ保存する手段と、
を備える端末間情報転送システム。
【発明の詳細な説明】
【技術分野】
【０００１】
本発明は、端末間で情報転送を行うための技術に関する。
【背景技術】
【０００２】
近年、携帯電話機、ＰＤＡ、及びノートＰＣなどの情報通信端末間（特に近隣の端末間）で、情報転送が頻繁に行われている。近隣端末間における情報転送としては、例えば、会議におけるノートＰＣ間のファイル共有、デスクトップＰＣからＰＤＡへのファイル転送、携帯電話機間の電話帳交換などがある。
【０００３】
近隣端末間の情報転送方法としては、（１）記録媒体（メモリーカード等）や（２）ネットワーク(ＵＳＢケーブル、Bluetooth、無線ＬＡＮ等) を利用した方法がある。（１）については記録媒体の出し入れが必要となり手間が掛かるという課題が存在する。（２）については、記録媒体の出し入れの手間はないが、情報転送の操作が現在複雑であり、直感的ではないという課題が存在する。
【０００４】
この（２）の課題が生ずる理由についてＰＣネットワーク上のファイル共有を例に説明する。
【０００５】
現状のＰＣネットワーク上のファイル共有システムとして、UNIX（登録商標）ではNFS(Network File System)、Windows（登録商標）ではSMB(Server Message Block)、MAC OSではAppleShareなどの方式がある。又、IETFにて標準化されているOS非依存のFTP (File Transfer Protocol)も一つのファイル転送方法である。
【０００６】
これらのファイル共有方式（ソフトウェア）の共通点は、他端末が共有するファイルやフォルダが「仮想的」に自端末の画面に表示され、その中から移したいファイルを選択し、取得していることである。パソコンの経験者に対して上記の操作は当然であるかもしれないが、パソコンに不慣れのユーザに対してこのアプローチは必ずしも直感的であるとは限らない。
【０００７】
特に、端末同士が「物理的」に近い場合にも係わらず、現状は、共有ファイルやフォルダを「仮想的」に操作しなくてはいけない点が直感的でなく、改善の余地がある。更に、現状のファイル共有では、共有するフォルダの設定(アクセス権限など)や、近隣コンピュータの検索及び接続などが必要であり、他端末の共有フォルダを表示させるまでの操作も複雑である。従って、今後さらに情報通信端末が一般化し、様々な技術レベルのユーザがこれから使って行く中、手間が掛からない、直感的な近隣端末間の情報転送方法が望まれる。
【０００８】
また、従来、電子ペンを利用する端末を前提とし、電子ペンに内蔵するメモリを介して端末間のデータ転送を行うものがある（例えば特許文献１参照）。この従来技術においては、端末装置に表示される画面を電子ペンで指示することにより、送信されてきた情報を電子ペン内のメモリへ一時的に保存し、その電子ペンで別の端末画面を指示すると、電子ペン内に保存してある情報が別端末へ送信されるといった情報転送方法を提案している。
【０００９】
この情報転送では、電子ペンで移したいファイルを選択し、電子ペンを「物理的」に転送先端末へ動かしているため、操作が直感的とはいえる。
【００１０】
しかしながら、この従来技術には主に２つの問題点が存在する。第１に、転送するデー
タ自体を電子ペン内のメモリに一旦取り込む方式であるため、転送できる情報が電子ペン内のメモリ容量に限られてしまう点である。例えば、電子ペンが64MBのメモリを内蔵していた場合、数百MBのフォルダや動画ファイルを転送することは出来ない。この場合、一回で転送できるデータが64MBに制限されてしまう。第２に、電子ペンにメモリ、ＣＰＵ、及びこれらのデバイスを動かすための電源が必要となる点である。現在のＰＤＡなどで使われているスタイラス・ペンの直径は約5mmであり、上記のデバイスを埋め込むことは物理
的に難しい。その上、コスト面でも高価である。
【特許文献１】特開平９−３４６３８号公報
【発明の開示】
【発明が解決しようとする課題】
【００１１】
本発明が解決しようとする課題は、端末間で電子ペンなどの転送支援装置（中継装置ともいう）を用いて情報転送を行う場合に、電子ペンなどの転送支援装置が備えるメモリ容量に制限されることなく、端末間で情報転送を行うための技術、さらには電子ペンなどの転送支援装置がそのデバイスを動かすための電源を必要しない技術を提供することにある。
【課題を解決するための手段】
【００１２】
本発明は、上記課題を解決するためになされたものであり、転送支援装置と端末とを包含する端末間の情報転送システムであって、前記転送支援装置が、転送支援情報を格納する記憶部と、受信した電波を用いてその記憶部の情報を発信するアンテナ部と、を備え、前記端末が、前記転送支援情報を、前記転送支援装置が備える記憶部からそのアンテナ部経由で読み取るリーダー部と、ネットワーク通信を行う通信部と、を備え、前記リーダー部が、前記転送支援情報を、前記転送支援装置が備える記憶部からそのアンテナ部経由で読み取り、前記通信部が、この読み取った転送支援情報を基に、他の端末との間で情報転送を行う、構成とした。
【００１３】
本発明によれば、端末がデータ転送に必要な情報（転送支援情報）を転送支援装置が備える記憶部から読み取り、実際の端末間のデータ転送をネットワーク経由で行うことが可能となる。
【００１４】
すなわち、従来のように、データそのものが転送支援装置（電子ペン）を介して転送されるのでなく、データそのものは転送支援装置を介することなく端末間で転送される。転送支援装置には比較的容量の小さい転送支援情報が格納されるだけである。
【００１５】
従って、本発明によれば、電子ペンなどの転送支援装置が備えるメモリ容量に制限されることなく、端末間で情報転送を行うことが可能となる。
【００１６】
すなわち、端末が転送支援装置（例えば無線タグ）から読み込む情報が転送ファイルそのものではなく、転送を支援する情報（例えば、端末のIPアドレスやファイルへのパス情報など）であり、実際の情報転送は端末間で無線LANやBluetoothなどのネットワークを介して行うことから、転送する情報量の制限は存在しない。
【００１７】
また、記憶部とアンテナ部とを、無線タグなどの非接触ＩＣチップにより構成すれば、電子ペンなどの転送支援装置がそのデバイスを動かすための電源が不要となる。すなわち、（例えば無線タグの）アンテナ部で受信した電波から発生した電圧を用いて記憶部の読み書きを行うため、メモリチップ、ＣＰＵや電源が不要となる。更に、無線タグの小型化により大きさ0.5mm角以下のチップも既に実現されており、電子ペンなどに内蔵すること
も物理的に可能である上、コストの面においてもＣＰＵやメモリと比較して有利となる。
【００１８】
上記端末間情報転送システムにおいては、例えば、前記転送支援情報は転送先端末の識別子であり、転送元端末が保有する情報のうち転送しようとする任意情報をその転送元端末が備える表示面を介して指示すると、その転送元端末が、前記転送支援装置が備える記憶部から読み取った転送支援情報が示す転送先端末へ、前記指示された任意情報を転送する。
【００１９】
これは転送支援情報の一例を示したものである。
【００２０】
また、上記端末間情報転送システムにおいては、例えば、前記転送支援情報は転送元端末が保有する情報へのポインタであり、前記端末が、前記転送支援装置が備える記憶部へ情報をそのアンテナ部経由で書き込むライター部をさらに備え、転送元端末が保有する情報のうち転送しようとする任意情報をその転送元端末が備える表示面を介して指示すると、その転送元端末が、前記指示された情報へのポインタを前記ライター部にて前記記憶部へ書き込み、さらに、転送先端末が備える表示面を指示すると、その転送先端末が、前記記憶部から転送支援情報を読み込み、この転送支援情報で示すポインタを用いて転送元端末から情報を取得する。
【００２１】
これも転送支援情報の一例を示したものである。
【００２２】
また、上記端末間情報転送システムにおいては、例えば、前記端末間で転送される情報は転送元端末が保有するファイル又はフォルダのうちの少なくとも一方である。
【００２３】
これは、端末間で転送される情報の例示である。従って、本発明において端末間で転送される情報はファイル又はフォルダに限定されない。例えば、前記端末間で転送される情報は転送元端末が実行しているアプリケーション情報であり、転送先端末はアプリケーション情報を受信したのを契機に転送元端末が実行しているのと同一のアプリケーション環境を提供するようにしてもよい。
【００２４】
また、上記端末間情報転送システムにおいては、例えば、前記転送支援装置は端末の入力装置である。
【００２５】
これは転送支援装置の例示である。従って、転送支援装置は端末の入力装置に限定されない。例えば利用者が携帯する携帯電話機やその他の装置であってもよい。
【００２６】
また、上記端末間情報転送システムにおいては、例えば、転送支援装置である入力装置は、端末の電子ペンである。
【００２７】
これは入力装置の例示である。従って、入力装置は電子ペンに限定されない。例えばマウスやその他の入力装置であってもよい。
【００２８】
また、上記端末間情報転送システムにおいては、例えば、転送支援情報を格納する記憶部と受信した電波を用いてその記憶部の情報を発信するアンテナ部を、非接触ICチップ（例えば無線タグ）により構成してもよい。
【００２９】
このようにすれば、アンテナ部で受信した電波から発生した電圧を用いて記憶部の読み書きを行うため、メモリチップ、ＣＰＵや電源が不要となる。更に、無線タグの小型化により大きさ0.5mm角以下のチップも既に実現されており、電子ペンなどに内蔵することも
物理的に可能である上、コストの面においてもＣＰＵやメモリと比較して有利となる。
【００３０】
また、本発明は次のように特定することもできる。
【００３１】
端末間で情報転送するためのシステムであって、転送元端末と、転送先を特定するための転送先特定情報を格納した記憶部を備える転送支援装置と、を備え、前記転送元端末が、転送候補を表示するためのディスプレイと、そのディスプレイに表示された転送候補のうち転送しようとするものを利用者に選択させる入力手段と、前記転送支援装置が備える記憶部から、前記転送先特定情報を読み取る読み取り手段と、前記選択された転送候補を、前記転送先特定情報により特定される転送先へ送信する手段とを備える端末間情報転送システム。
【００３２】
端末間で情報転送するためのシステムであって、転送元端末と、転送先端末と、記憶部を備える転送支援装置と、を備え、前記転送元端末が、転送候補を表示するためのディスプレイと、そのディスプレイに表示された転送候補のうち転送しようとするものを利用者に選択させる入力手段と、前記選択された転送候補へアクセスするための情報を、前記転送支援装置が備える記憶部に書き込む書き込み手段と、を備え、前記転送先端末が、保存先候補を表示するためのディスプレイと、そのディスプレイに表示された保存先候補のうち保存先にしようとするものを利用者に選択させる入力手段と、前記転送支援装置が備える記憶部から、前記選択された転送候補へアクセスするための情報を読み取る読み取り手段と、前記選択された転送候補へアクセスするための情報に基づいて、転送元端末からその選択された転送候補を取得し、前記選択された保存先へ保存する手段と、を備える端末間情報転送システム。
【００３３】
また、本発明は方法の発明として次のように特定することができる。
【００３４】
転送元端末、転送先端末、及び転送先を特定するための転送先特定情報を格納した記憶部を備える転送支援装置端末を包含するシステムにおいて、情報転送するための方法であって、前記転送元端末が、そのディスプレイに転送候補を表示するステップと、前記転送元端末が、その表示された転送候補のうち転送しようとするものを利用者に選択させるステップと、前記転送元端末が、前記転送支援装置が備える記憶部から、前記転送先特定情報を読み取るステップと、前記転送元端末が、前記転送先特定情報により特定される転送先へ、前記選択された転送候補を送信するステップと、を備える端末間情報転送方法。
【００３５】
転送元端末、転送先端末、及び記憶部を備える転送支援装置端末を包含するシステムにおいて、情報転送するための方法であって、前記転送元端末が、そのディスプレイに転送候補を表示するステップと、前記転送元端末が、そのディスプレイに表示された転送候補のうち転送しようとするものを利用者に選択させるステップと、前記転送元端末が、前記選択された転送候補へアクセスするための情報を、前記転送支援装置が備える記憶部に書き込むステップと、前記転送先端末が、そのディスプレイに保存先候補を表示するステップと、前記転送先端末が、そのディスプレイに表示された保存先候補のうち保存先にしようとするものを利用者に選択させるステップと、前記転送先端末が、前記転送支援装置が備える記憶部から、前記選択された転送候補へアクセスするための情報を読み取るステップと、前記転送先端末が、前記選択された転送候補へアクセスするための情報に基づいて、転送元端末からその選択された転送候補を取得し、前記選択された保存先へ保存するステップと、を備える端末間情報転送方法。
【００３６】
また、本発明は端末の発明として次のように特定できる。
【００３７】
他の端末間で情報転送するための端末であって、転送候補を表示するためのディスプレイと、そのディスプレイに表示された転送候補のうち転送しようとするものを利用者に選択させる入力手段と、転送支援装置が備える記憶部から、転送先を特定するための転送先特定情報を読み取る読み取り手段と、前記転送先特定情報により特定される転送先へ、前
記選択された転送候補を送信する手段と、を備える情報転送端末。
【００３８】
他の端末間で情報転送するための端末であって、転送候補を表示するためのディスプレイと、そのディスプレイに表示された転送候補のうち転送しようとするものを利用者に選択させる入力手段と、前記選択された転送候補へアクセスするための情報を、転送支援装置が備える記憶部に書き込む書き込み手段と、を備える情報転送端末。
【００３９】
他の端末間で情報転送するための端末であって、保存先候補を表示するためのディスプレイと、そのディスプレイに表示された保存先候補のうち保存先にしようとするものを利用者に選択させる入力手段と、転送支援装置が備える記憶部から、転送候補へアクセスするための情報を読み取る読み取り手段と、前記転送候補へアクセスするための情報に基づいて、転送元端末からその転送候補を取得し、前記選択された保存先へ保存する手段と、を備える情報転送端末。
【００４０】
また、本発明はプログラムの発明として次のように特定できる。
【００４１】
他の端末間で情報転送するための端末を、その端末が備えるディスプレイに表示された転送候補のうち転送しようとするものを利用者に選択させる入力手段、転送支援装置が備える記憶部から、転送先を特定するための転送先特定情報を読み取る読み取り手段、前記転送先特定情報により特定される転送先へ、前記選択された転送候補を送信する手段、
として機能させるためのプログラム。
【００４２】
他の端末間で情報転送するための端末を、その端末が備えるディスプレイに表示された転送候補のうち転送しようとするものを利用者に選択させる入力手段、前記選択された転送候補へアクセスするための情報を、転送支援装置が備える記憶部に書き込む書き込み手段、として機能させるためのプログラム。
【００４３】
他の端末間で情報転送するための端末を、その端末が備えるディスプレイに表示された保存先候補のうち保存先にしようとするものを利用者に選択させる入力手段、転送支援装置が備える記憶部から、転送候補へアクセスするための情報を読み取る読み取り手段、前記転送候補へアクセスするための情報に基づいて、転送元端末からその転送候補を取得し、前記選択された保存先へ保存する手段、として機能させるためのプログラム。
【００４４】
また、本発明は上記のいずれかのプログラムを記録した記録媒体として特定することもできる。
【００４５】
次に、課題を解決するための手段について図１を参照しながら具体的に説明する。図１は、本発明の概念を説明するための図である。
【００４６】
図１に示すように、本発明においては、電子ペンなどの転送支援装置３０が、転送支援情報（データ転送に必要な情報）を格納する記憶部３３と、受信した電波を用いてその記憶部３３の転送支援情報を発信するアンテナ部３２とを備える。情報通信端末１０が、転送支援情報を、転送支援装置３０の記憶部３３からそのアンテナ部３２経由で読み取るリーダー部１３と、ネットワーク通信を行う通信部１７とを備える。
【００４７】
これにより、端末がデータ転送に必要な情報（転送支援情報）を転送支援装置３０が備える記憶部３３から読み込み、実際の端末間のデータ転送をネットワーク経由で行うことが可能となる。
【００４８】
すなわち、従来のように、データそのものが転送支援装置（電子ペン）を介して転送さ
れるのでなく、データそのものは転送支援装置３０を介することなく端末間で転送される。転送支援装置３０には比較的容量の小さい転送支援情報が格納されるだけである。
【００４９】
従って、本発明によれば、電子ペンなどの転送支援装置３０が備えるメモリ３３容量に制限されることなく、端末間で情報転送を行うことが可能となる。
【００５０】
すなわち、端末が転送支援装置（例えば無線タグ）から読み込む情報が転送ファイルそのものではなく、転送を支援する情報（例えば、端末のIPアドレスやファイルへのパス情報など）であり、実際の情報転送は端末間で無線LANやBluetoothなどのネットワークを介して行うことから、転送する情報量の制限は存在しない。
【００５１】
また、記憶部３３とアンテナ部３２とを、無線タグなどの非接触ＩＣチップにより構成すれば、電子ペンなどの転送支援装置がそのデバイスを動かすための電源が不要となる。すなわち、（例えば無線タグの）アンテナ部３２で受信した電波から発生した電圧を用いて記憶部３３の読み書きを行うため、メモリチップ、ＣＰＵや電源が不要となる。更に、無線タグの小型化により大きさ0.5mm角以下のチップも既に実現されており、電子ペンな
どに内蔵することも物理的に可能である上、コストの面においてもＣＰＵやメモリと比較して有利となる。
【００５２】
具体的には、転送支援情報として、転送先端末の情報を利用するか、又は転送元端末の情報を利用するかにより、以下２つの手段がありえる。
（転送先端末情報を利用する場合）
以下、転送支援情報として転送先端末情報を利用する場合の動作について図２を参照しながら説明する。
【００５３】
まず、転送支援装置（図２中電子ペンを例示）３０が備える無線タグ３１の記憶部３３に予め転送先端末の識別子を記憶しておく。この転送支援装置３０を用いて転送元端末１０が保有するファイルを指示する（（１））。端末のリーダー部１３が無線タグ３１から転送先端末２０の識別子を読み取る（（２））。（１）で指示されたファイルを転送先端末２０へ転送する。
【００５４】
このように、転送支援情報として転送先端末情報（図２中転送先端末の識別子を例示）を利用する場合、従来のように、ファイルそのものが転送支援装置（電子ペン）を介して転送されるのでなく、ファイルそのものは転送支援装置３０を介することなく端末間で転送される。転送支援装置（図２中電子ペンを例示）３０には比較的容量の小さい転送支援情報（図２中転送先端末の識別子を例示）が格納されるだけである。
【００５５】
従って、転送支援情報として転送先端末情報（図２中転送先端末の識別子を例示）を利用する場合、転送支援装置（図２中電子ペンを例示）３０が備えるメモリ３３容量に制限されることなく、端末間で情報転送を行うことが可能となる。
（転送元端末情報を利用する場合）
以下、転送支援情報として転送元端末情報を利用する場合の動作について図３を参照しながら説明する。
【００５６】
ここでは、転送元端末が更に無線タグを書き込むライター部を備える。転送支援装置（図３中電子ペンを例示）を用いて転送元端末１０が保有するファイルを指示する。転送元端末１０のライター部１３が先ほど指示されたファイルへのポインタ情報を、転送支援装置（図３中電子ペンを例示）が備える無線タグ３１の記憶部３３に書き込む（（２））。同一の転送支援装置（図３中電子ペンを例示）にて転送先端末２０の画面を指示する（（３））。転送先端末２０のリーダー部２３が転送支援装置（図３中電子ペンを例示）が備
える無線タグ３３の記憶部３３からポインタ情報を読み込む（（４））。転送先端末２０の通信部２７がその読み込んだポインタ情報に従って転送元端末１０からファイルを取得する（（５））。
【００５７】
このように、転送支援情報として転送元端末情報（図３中指示されたファイルへのポインタ情報を例示）を利用する場合、従来のように、ファイルそのものが転送支援装置（電子ペン）を介して転送されるのでなく、ファイルそのものは転送支援装置３０を介することなく端末間で転送される。転送支援装置（図３中電子ペンを例示）３０には比較的容量の小さい転送支援情報（図３中指示されたファイルへのポインタ情報を例示）が格納されるだけである。
【００５８】
従って、転送支援情報として転送元端末情報（図３中指示されたファイルへのポインタ情報を例示）を利用する場合、転送支援装置（図３中電子ペンを例示）３０が備えるメモリ３３容量に制限されることなく、端末間で情報転送を行うことが可能となる。
【００５９】
ここで本発明について強調したい点が２つある。
【００６０】
第１に、本発明の転送支援装置は、無線タグを内蔵した「電子ペン」に限定されないという点である。例えば、本発明の転送支援装置は、両端末で同一の入力装置が利用可能であれば、コードレスマウスなどの他の入力装置であってもよい。
【００６１】
また、無線タグが入力装置とは別の装置に内蔵されているケースもありえる。例えば、指で入力するタッチパネル式の端末においては、無線タグを内蔵可能な入力装置が存在しないため、端末自体に無線タグを内蔵したり、周辺にある任意の無線タグ（例えば、身に付けている携帯電話機や腕時計など）を利用したりする方法が考えられる。この場合、無線タグを備える携帯電話機などが本発明の転送支援装置に相当する。
【００６２】
第２に、本発明において端末間で転送されるのは「ファイル」に限定されないという点である。例えば、ユーザが外出するため、今まで作業していたデスクトップＰＣの環境をＰＤＡへ移したい場合、デスクトップＰＣで実行しているアプリケーション情報をＰＤＡへ送信し、ＰＤＡにて同じ環境を提供することも考えられる。この場合、本発明において端末間で転送されるのは「実行環境」である。
【発明の効果】
【００６３】
本発明によれば、端末間で電子ペンなどの転送支援装置（中継装置ともいう）を用いて情報転送を行う場合に、電子ペンなどの転送支援装置が備えるメモリ容量に制限されることなく、端末間で情報転送を行うことが可能となる。さらに、電子ペンなどの転送支援装置がそのデバイスを動かすための電源を必要しない。
【００６４】
また、本発明によれば、近隣端末の情報転送において、「物理的」に電子ペンなどの転送支援装置（例えば入力装置）を端末間で動かし、情報を移す。このため、直感的な情報転送方法が実現される。また、転送支援装置（例えば入力装置）に無線タグを用いることにより、メモリチップ、ＣＰＵや電源が不要となることから、コスト的にも有利となる。さらに、転送支援装置（例えば無線タグ）を介して転送支援情報を端末へ渡し、実際の情報転送をネットワーク上で行う方式であるため、従来技術と比較して、転送するデータ量に制限がない。
【発明を実施するための最良の形態】
【００６５】
以下、本発明の実施形態である端末間情報転送システムについて図面を参照しながら説明する。
（第１実施形態：ファイル転送 (転送先端末情報，電子ペン)）
図４は、第１実施形態を説明するための図である。図４に示すように、第１実施形態は、転送元端末（図４中Tablet PCを例示）１０から転送先端末（図４中ＰＤＡを例示）２
０へ転送支援装置（図４中電子ペンを例示）３０を用いてファイルを転送する例である。＜情報転送シーケンス（全体）＞
図４を参照しながら、情報転送シーケンスについて説明する。
（ファイルの選択）
先ず、Tablet PC１０の表示部１１の表示面に表示されているファイル（本発明の転送
候補に相当）の中から、利用者が転送しようと考えているファイル(図４中Snowboard.mpgを例示)を、ＰＤＡ２０の電子ペン３０でタップする（（１））。これにより、転送しよ
うとするファイル(図４中Snowboard.mpgを例示)を選択したことになる。
【００６６】
LinuxやWindows（登録商標）などの一般なＯＳであれば、表示されているアイコンをシングルクリック(タップ)するとアイコンが「選択」され、ダブルクリック(タップ)すると「実行」される。これらの指示と本発明の情報転送指示を区別するため、例えば、トリプルクリック(タップ)などを利用する。本実施形態の前提は、ＰＤＡ２０の電子ペン３０はTablet PC１０においても利用可能なことである。
（ファイル転送先の取得）
ファイル(図４中Snowboard.mpgを例示)が選択されると、Tablet PC１０においては、その無線タグ・リーダー１３が、先ほどタップした電子ペン３０（無線タグ３１の記憶部３３）から記憶情報を読み取る（（２））。
【００６７】
電子ペン３０（無線タグ３１の記憶部３３）には転送先ＩＰアドレス（ここではＰＤＡ２０のＩＰアドレス：192.168.1.1）の他、転送先フォルダのパス名（ここではc:\ＰＤＡvideo\）や、転送先端末（ここではＰＤＡ２０）が要求する認証設定や暗号化設定（例えば、暗号化アルゴリズム及び公開鍵等）などのセキュリティ情報が予め書き込まれている。従って、これらの情報（本発明の転送支援情報に相当）が読み取られる。これにより、ファイル転送先の情報が取得されたことになる。
（ファイル転送）
これらの情報が読み取られると、Tablet PC１０においては、その通信部１７が、先ほ
ど読み込んだ転送先ＩＰアドレス（ここではＰＤＡ２０のＩＰアドレス：192.168.1.1）
へ無線ＬＡＮを用いてアクセスし、セキュリティ情報に従って指定された宛先フォルダ（ここではc:\ＰＤＡvideo\）へ、先ほどタップされたファイル(図４中Snowboard.mpgを例
示)を転送する（（３））。
【００６８】
これにより、Tablet PC（転送元端末）１０からＰＤＡ（転送先端末）２０へ、ＰＤＡ
の電子ペン３０でタップしたファイル(図４中Snowboard.mpgを例示)を転送することが可
能となる。
【００６９】
なお、本実施形態では端末の識別子としてＩＰアドレスを利用しているが、本発明はＩＰアドレスに限らず、転送先端末名や転送先ユーザ名などの識別子でもよい。例えば、Windows（登録商標）におけるコンピュータ名（Netbios名）を利用することも可能である。この場合は、コンピュータ名からＩＰアドレスへの名前解決が必要となるが、Windows（
登録商標）においてはブロードキャストパケットによる名前問い合わせやWINSサーバへの問い合わせなど、幾つかの名前解決手段が提供されているので、これを利用して名前解決することができる。
＜概略システム構成＞
次に、本実施形態の端末間情報転送システムを実現するための各装置について説明する。本システムは、転送元端末（図４中Tablet PCを例示）１０、転送先端末（図４中ＰＤ
Ａを例示）２０、及び転送支援装置（図４中電子ペンを例示）３０を包含する。
【００７０】
図５は、主に、Tablet PC１０、及びＰＤＡ２０の機能を説明するためのブロック図で
ある。
【００７１】
図５に示すように、Tablet PC１０は、表示部１１、座標入力制御部１２、無線タグリ
ーダー／ライター部１３、ファイル保管部１４、暗号化部１５、認証部１６、通信部１７、及び情報転送制御部１８などを備えている。同様に、ＰＤＡ２０も、表示部２１、座標入力制御部２２、無線タグリーダー／ライター部２３、ファイル保管部２４、暗号化部２５、認証部２６、通信部２７、及び情報転送制御部２８などを備えている。
【００７２】
表示部１１（２１）は、ファイル保管部１４（２４）に格納されているファイルやフォルダを表す図柄（いわゆるアイコン）や、実行中のアプリケーションなどを表示するための、液晶ディスプレイなどの画像表示装置である。
【００７３】
座標入力制御部１２（２２）は、電子ペン３０などの入力を認識し、制御するためのものである。座標入力制御部１２（２２）は、表示部１１（２１）の表示面に設けられたいわゆるタッチパネルなどの入力装置を含み、表示部１１（２１）に表示されているアイコンなどがそのタッチパネルを介して選択（指示、又はタップなど）された場合、その選択されたアイコンなどの識別子を得る。
【００７４】
無線タグリーダー／ライター部１３（２３）は、無線タグの読み取り及び書き込みを行うためのものである。無線タグリーダー／ライター部１３（２３）は、これに近づけられた電子ペン３０（無線タグ３１の記憶部３３）から情報をそのアンテナ部３２経由で読み取ったり、あるいは電子ペン３０（無線タグ３１の記憶部３３）に情報をそのアンテナ部３２経由で書き込むための装置である。
【００７５】
ファイル保管部１４（２４）は、ファイル（転送先端末へ転送するためのファイルや転送元から転送されたファイルなど）を格納するための、ハードディスク装置などの記憶装置である。
【００７６】
暗号化部１５（２５）は、データを暗号化する (任意機能)ためのものである。暗号化
部１５（２５）は、これに入力されるファイルなどに対して、公知の暗号化アルゴリズムによる暗号化処理を施し、その暗号化後のファイルなどを出力する。
【００７７】
認証部１６（２６）は、ユーザ又は端末の認証を行う(任意機能)ためのものである。
【００７８】
通信部１７（２７）は、ネットワーク上で端末間の通信（ネットワーク通信）を行うためのものであり、例えば無線ＬＡＮやブルートゥースなどの公知の無線通信装置である。
【００７９】
情報転送制御部１８（２９）は、本発明の情報転送処理を制御するためのものであり、例えばＣＰＵなどである。
【００８０】
図４に示すように、電子ペン３０は、細長で先細りのペンタイプの部材であり、無線タグ３１が取り付け（例えば内蔵）られている。無線タグ３１は、受信した電波を用いてその記憶部３３の情報を発信するアンテナ部３２と記憶部３３を備えている。記憶部３３には、ＰＤＡ１０の識別子（例えば通信部１７が無線ＬＡＮインタフェースである場合、そのインタフェースに割り当てられているＩＰアドレス）が記憶されている。この記憶部３３に記憶されている情報が本発明の転送支援情報に相当する。つまり、転送支援情報は転送先端末の情報である。
【００８１】
電子ペン（無線タグ３１）３０が無線タグリーダー／ライター部１３（２３）に近づけられると、無線タグリーダー／ライター部１３（２３）からの電波によって無線タグ３１側に起電力が発生(電磁誘導の原理)し、この電力によって回路が働き、無線タグ３１の記憶部３３からそのアンテナ部３２経由で転送支援情報が読み取られる。あるいは無線タグ３１の記憶部３３にそのアンテナ部３２経由で転送支援情報が書き込まれる。
＜端末内部シーケンス (転送元端末)＞
次に、上記構成のTablet PC１０における各機能ブロック間のシーケンスについて図６
を参照しながら説明する。本処理は図４を参照しながら既に説明した情報転送シーケンス（１）〜（３）に相当する。
（ファイルの選択）
先ず、Tablet PC１０の表示部１１の表示面に表示されているファイル（本発明の転送
候補に相当）の中から、利用者が転送しようと考えているファイル（すなわちファイルを表すいわゆるアイコン）を、ＰＤＡの電子ペン３０でタップする（Ａ１）。これにより、転送しようとするファイルを選択したことになる。
（ファイル転送先の取得）
ファイルが選択されると、Tablet PC１０においては、その座標入力制御部１２が、表
示面上のタップ位置を認識し、そのタップ位置に表示されたアイコン（すなわちタップにより選択されたアイコン）の識別子を得て、これを情報転送制御部１８へ通知する（Ａ２）。
【００８２】
情報転送制御部１８は、その通知をきっかけに無線タグ・リーダー部１３を制御する。これにより、無線タグ・リーダー部１３は、先ほど表示面をタップした電子ペン３０（無線タグ３１の記憶部３３）から記憶情報（転送先ＩＰアドレス、フォルダパス、セキュリティ(認証、暗号)情報）を読み取る（Ａ３）。これにより、ファイル転送先の情報、つまり転送支援情報が取得されたことになる。
（ファイル転送）
これらの情報が読み取られると、情報転送制御部１８は、必要が有れば、認証部１６を制御する。これにより、認証部１６は、先ほど読み込んだセキュリティ情報に基づいてＰＤＡ２０と認証を行う。認証が成功した場合、Tablet PC１０において、その情報転送制
御部１８が、（Ａ２）で通知されたファイル識別子により特定されるファイルをファイル保管部１４から読み出し、このファイルを（必要があれば暗号化部１６にて暗号化して）（Ａ２）で通知された転送先端末であるＰＤＡ２０の転送先フォルダへ通信部１７にて転送する。
＜端末内部シーケンス (転送先端末)＞
次に、上記構成のＰＤＡ（転送先端末）２０における各機能ブロック間のシーケンスについて図７を参照しながら説明する。本処理は図４を参照しながら既に説明した情報転送シーケンス（３）に相当する。
【００８３】
ＰＤＡ２０においては、Tablet PC（転送元端末）１０から認証要求があると、その認
証部２６が、その認証要求を処理し、応答を返す（Ｂ１）。この認証が成功した場合、Tablet PC１０の通信部１７がファイルをＰＤＡ２０宛に転送する。ＰＤＡ２０においては
、その通信部２７がTablet PC（転送元端末）１０から転送されたファイルを受信し、そ
の情報転送制御部２８がその受信したファイルを（必要であれば暗号化部２５にて復号化して）ファイル保管部２４に保存する。
【００８４】
これにより、Tablet PC（転送元端末）１０からＰＤＡ（転送先端末）２０へ、ＰＤＡ
２０の電子ペン３０でタップしたファイルを転送することが可能となる。
（第２実施形態：ファイル転送 (転送元端末情報，電子ペン)）
図８は、第２実施形態を説明するための図である。図８に示すように、第２実施形態は、転送元端末（図８中Tablet PCを例示）１０から転送先端末（図８中ＰＤＡ２０を例示
）へ転送支援装置（図８中電子ペンを例示）３０を用いてファイルを転送する例である。
【００８５】
本実施形態では、第１実施形態のように予め転送先端末のＩＰアドレスが無線タグに記憶されているのではなく、転送元端末の画面にて転送するファイルを選択した時点で、転送元ＩＰアドレスやファイル名などのポインタ情報が無線タグに書き込まれる。つまり、転送支援情報は転送元端末における情報である。
＜情報転送シーケンス＞
図８を参照しながら、情報転送シーケンスについて説明する。
（ファイルの選択）
先ず、Tablet PC１０の表示部１１の表示面に表示されているファイル（本発明の転送
候補に相当）の中から、利用者が転送しようと考えているファイル(図８中Snowboard.mpgを例示)を、電子ペン３０でタップする（（１））。これにより、転送しようとするファ
イル(図８中Snowboard.mpgを例示)を選択したことになる。
（ファイル転送元の書き込み）
ファイル(図８中Snowboard.mpgを例示)が選択されると、Tablet PC１０においては、その無線タグ・ライター１３が、先ほどタップした電子ペン３０（無線タグ３１の記憶部３３）に、そのタップされたファイルの転送支援情報（ファイル名、ファイルパス、無線LANインタフェースのIPアドレスやセキュリティ情報など）を書き込む（（２））。ここで
は、図８に示すように、電子ペン３０（無線タグ３１の記憶部３３）には、ファイル名(Snowboard.mpg)、フォルダパス（C:\Pcvideo\）、無線LANインタフェースのIPアドレス(192.168.1.13)、及びセキュリティ情報が書き込まれる。
（ファイル転送元の取得）
次に、ＰＤＡ（転送先端末）２０において、その表示部２１の表示面に表示されているフォルダ（本発明の保存先候補に相当）の中から、利用者が保存先にしようと考えているフォルダを、先ほどタップしたのと同一の電子ペン３０でタップする（（３））。これにより、保存先フォルダを選択したことになる。
【００８６】
保存先フォルダが選択されると、ＰＤＡ２０においては、その無線タグ・リーダー２３が、電子ペン３０（無線タグ３１の記憶部３３）から記憶情報を読み取る（（４））。
【００８７】
電子ペン３０（無線タグ３１の記憶部３３）には、先ほど（２）で、ファイル名(Snowboard.mpg)、フォルダパス（C:\Pcvideo\）、無線LANインタフェースのIPアドレス(192.168.1.13)が書き込まれている。従って、これらの情報（本発明の転送支援情報に相当）が
読み取られる。これにより、ファイル転送元の情報が取得されたことになる。
（ファイル転送）
これらの情報が読み取られると、ＰＤＡ２０においては、その通信部２７が、先ほど読み込んだＩＰアドレス（ここではTablet PC１０のＩＰアドレス：192.168.1.13）へ無線
ＬＡＮを用いてアクセスし、先ほど（１）でタップされたファイルをセキュリティ情報に従ってTablet PC１０から取得し、（３）でタップされたフォルダへ保存する（（５））
。
【００８８】
これにより、Tablet PC（転送元端末）１０からＰＤＡ（転送先端末）２０へ、電子ペ
ン３０でタップしたファイル(図８中Snowboard.mpgを例示)を転送することが可能となる
。
＜概略システム構成＞
次に、本実施形態の端末間情報転送システムを実現するための各装置について説明する。本システムは、第１実施形態と同様、Tablet PC（転送元端末）１０、ＰＤＡ（転送先
端末）２０、及び電子ペン３０を包含する。これらの機能については、第１実施形態で説明したのと同様であるので、その説明を省略する。
＜端末内部シーケンス (転送元端末)＞
次に、本実施形態におけるTablet PC（転送元端末）１０の各機能ブロック間のシーケ
ンスについて図９を参照しながら説明する。本処理は図８を参照しながら既に説明した情報転送シーケンス（１）〜（２）に相当する。
（ファイルの選択）
先ず、Tablet PC１０において、その表示部１１の表示面に表示されているファイル（
本発明の転送候補に相当）の中から、利用者が転送しようと考えているファイル（すなわちファイルを表すいわゆるアイコン）を、電子ペン３０でタップする（１−１）。これにより、転送しようとするファイルを選択したことになる。
（ファイル転送元の書き込み）
ファイルが選択されると、Tablet PC１０においては、その座標入力制御部１２が、表
示面上のタップ位置を認識し、そのタップ位置に表示されたアイコン（すなわちタップにより選択されたアイコン）の識別子を得て、これを情報転送制御部１８へ通知する（１−２）。
【００８９】
情報転送制御部１８は、その通知をきっかけに無線タグ・ライター部１３を制御する。これにより、無線タグ・リーダー部１３は、先ほど表示面をタップした電子ペン３０（無線タグ３１の記憶部３３に、先ほどタップされたアイコンの転送を支援するための転送支援情報（ファイル名、フォルダパス、転送元IPアドレス、セキュリティ情報）を書き込む（１−３）。
＜端末内部シーケンス (転送先端末)＞
次に、本実施形態におけるＰＤＡ（転送先端末）２０の各機能ブロック間のシーケンスについて図１０を参照しながら説明する。本処理は図８を参照しながら既に説明した情報転送シーケンス（３）〜（５）に相当する。
（ファイル転送元の取得）
次に、ＰＤＡ（転送先端末）２０において、その表示部２１の表示面に表示されているフォルダ（本発明の保存先候補）の中から、利用者が保存先にしようと考えているフォルダを、先ほどタップしたのと同一の電子ペン３０でタップする（１−１）。これにより、保存先フォルダを選択したことになる。
【００９０】
保存先フォルダがタップされると、ＰＤＡ２０においては、その座標入力制御部２２が、表示面上のタップ位置を認識し、そのタップ位置に表示されたフォルダ（すなわちタップにより選択されたフォルダ）の識別子を得て、これを情報転送制御部２８へ通知する（１−２）。
【００９１】
情報転送制御部２８は、その通知をきっかけに無線タグ・リーダー部２３を制御する。これにより、無線タグ・リーダー部２３は、電子ペン３０（無線タグの記憶部３３）から、ファイル名、フォルダパス、転送元IPアドレス、セキュリティ情報を読み取る（１−３）。これにより、ファイル転送元の情報、つまり転送支援情報が取得されたことになる。（ファイル転送）
これらの情報が読み込まれると、情報転送制御部２８は、必要が有れば、認証部２６を制御する。これにより、認証部２６は、先ほど読み込んだセキュリティ情報に基づいてTablet PC１０と認証を行う（１−４）。認証が成功した場合、ＰＤＡ２０においては、そ
の情報転送制御部２８が、ファイル転送要求をTablet PC１０（先ほど読み込んだ転送元
ＩＰアドレス）へ通信部２７にて送信する。すなわち、ＰＤＡ２０においては、その通信部２７が、先ほど読み込んだＩＰアドレス（ここではTablet PC１０のＩＰアドレス：192.168.1.13）へ無線ＬＡＮを用いてアクセスし、先ほど図９中の（１−１）でタップされ
たファイルをセキュリティ情報に従ってTablet PC１０から取得し、（必要であれば暗号
化部２５にて復号化して）図１０中の（１−１）でタップされたフォルダへ保存する。
＜端末内部シーケンス (転送元端末)＞
下記の処理は図８を参照しながら既に説明した情報転送シーケンス（５）に相当する。
【００９２】
Tablet PC１０においては、ＰＤＡ２０から認証要求があると、その認証部１６が、そ
の認証要求を処理し、応答を返す（２−１）。この認証が成功した場合、Tablet PC１０
の情報転送制御部１８が、ＰＤＡ２０から受信したファイル転送要求に対して、該当のファイルをファイル保管部２４から読み出し、このファイルを（必要であれば暗号化部１６にて暗号化して）ＰＤＡ２０宛に通信部１７にて転送する。
【００９３】
これにより、Tablet PC（転送元端末）１０からＰＤＡ（転送先端末）２０へ、電子ペ
ン３０でタップしたファイルを転送することが可能となる。
（第２実施形態の変形例：ファイル転送 (転送元端末情報，携帯電話)）
図１１は、第２実施形態の変形例を説明するための図である。図１１に示すように、本変形例は、転送元端末（図１１中Tablet PCを例示）１０から転送先端末（図１１中ＰＤ
Ａを例示）２０へ転送支援装置（図８中携帯電話機を例示）を用いてファイルを転送する例である。
【００９４】
本変形例では、第１実施形態や第２実施形態とは異なり、電子ペン３０が付属する端末ではなく、指で入力するタッチパネル式の端末を想定している。従って、無線タグを入力装置に内蔵することは出来ないため、端末の周辺にある任意の無線タグ（図１１中携帯電話機が備える無線タグを例示）を利用して、転送支援情報を通知する方法である。
【００９５】
本変形例では、携帯電話機に無線タグを内蔵している。ここでは、携帯電話機内蔵の無線タグにおいても端末のリーダー・ライター部が書き込み・読み取り可能であることを前提としている。
【００９６】
図１１を参照しながら、情報転送シーケンスについて説明する。基本的には第２実施形態と同等のシーケンスである。
＜情報転送シーケンス＞
（ファイルの選択）
先ず、Tablet PC１０の表示部１１の表示面に表示されているファイル（本発明の転送
候補に相当）の中から、利用者が転送しようと考えているファイル (図１１中Snowboard.mpgを例示)を、指でタップする（（１））。これにより、転送しようとするファイルを選択したことになる。
（ファイル転送元の書き込み）
ファイルが選択されると、Tablet PC１０においては、その無線タグ・ライター１３が
、先ほどタップされたファイルの転送支援情報（ファイル名、ファイルパス、無線LANイ
ンタフェースのIPアドレスやセキュリティ情報など）を、携帯電話機（が備える無線タグの記憶部）に書き込む（（２））。
【００９７】
次に、ＰＤＡ（転送先端末）２０において、その表示部２１の表示面に表示されているフォルダ（本発明の保存先候補に相当）の中から、利用者が保存先にしようと考えているフォルダを、指でタップする（（３））。これにより、保存先フォルダを選択したことになる。
【００９８】
保存先フォルダが選択されると、ＰＤＡ２０においては、その無線タグ・リーダー２３が、電子ペン３０（無線タグ３１の記憶部３３）から記憶情報（ファイル名、ファイルパス、無線LANインタフェースのIPアドレスやセキュリティ情報など）を読み取る（（４）
）。
（ファイル転送）
これらの情報が読み取られると、ＰＤＡ２０においては、その通信部２７が、先ほど読み込んだIPアドレスへ無線ＬＡＮを用いてアクセスし、先ほど（１）でタップされたファ
イルをセキュリティ情報に従ってTablet PC１０から取得し、（３）でタップされたフォ
ルダへ保存する（（５））。
【００９９】
これにより、Tablet PC（転送元端末）１０からＰＤＡ（転送先端末）２０へ、指でタ
ップしたファイル(図１１中Snowboard.mpgを例示)を転送することが可能となる。
【０１００】
なお、本実施形態における端末の内部シーケンスについては第２実施形態と同様であるためその説明を省略する。
（実施形態３：実行環境転送 (転送先端末情報，電子ペン)概要）
図１２は、第３実施形態を説明するための図である。図１２に示すように、第３実施形態は、転送元端末（図１２中Tablet PC４０を例示）で作業していたWebブラウザ環境を転送先端末（図１２中ＰＤＡ５０を例示）へ転送支援装置（図１２中電子ペン３０を例示）を用いてファイルを転送する例である。
【０１０１】
本実施形態では、電子ペン３０に内蔵した無線タグには、第１実施形態と同様にＰＤＡ５０のIPアドレスが保有されている。
【０１０２】
＜情報転送シーケンス＞
図１２を参照しながら、情報転送シーケンスについて説明する。
（ファイルの選択）
先ず、Tablet PC４０の画面の表示部４１の表示面に表示されているアプリケーション
（本発明の転送候補に相当）の中から、利用者が転送しようと考えているアプリケーション（図１２中Webブラウザを例示）を電子ペン３０でタップする（（１））。これにより
、転送しようとするアプリケーション（図１２中Webブラウザを例示）を選択したことに
なる。
（転送先の取得）
Webブラウザが選択されると、Tablet PC４０においては、その無線タグ・リーダー４３が、先ほどタップした電子ペン３０（無線タグ３１の記憶部３３）からIPアドレス及びセキュリティ情報を読み取る（（２））。
【０１０３】
電子ペン３０（無線タグ３１の記憶部３３）には転送先ＩＰアドレス（ここではＰＤＡ２０のＩＰアドレス：192.168.1.1）の他、転送先端末（ここではＰＤＡ２０）が要求す
る認証設定や暗号化設定（例えば、暗号化アルゴリズム及び公開鍵等）などのセキュリティ情報が予め書き込まれている。従って、これらの情報（本発明の転送支援情報に相当）が読み取られる。これにより、転送先の情報が取得されたことになる。
（転送）
これらの情報が読み取られると、Tablet PC４０においては、その通信部４７が、先ほ
ど読み込んだ転送先ＩＰアドレス（ここではＰＤＡ５０のＩＰアドレス：192.168.1.1）
へ無線ＬＡＮを用いてアクセスし、（１）で指示されたアプリケーションの名前（識別情報など）と動作環境情報(そのWebブラウザが開いているURLなど)を、セキュリティ設定に従って転送する（（３））。
【０１０４】
ＰＤＡ５０においては、その通信部５７が、Tablet PC４０から転送されたアプリケー
ション名と動作環境情報を受信し、そのアプリケーション名（ここではWebブラウザ）を
実行し、その動作環境情報である同一URLへアクセスする。
【０１０５】
これにより、Tablet PC４０で作業していたWebブラウザ環境をＰＤＡ５０へ転送することが可能となる。
＜概略システム構成＞
次に、本実施形態の端末間情報転送システムを実現するための各装置について説明する
。本システムは、転送元端末（図１２中Tablet PCを例示）４０、転送先端末（図１２中
ＰＤＡを例示）５０、及び転送支援装置（図１２中電子ペンを例示）３０を包含する。
【０１０６】
図１３は、主に、Tablet PC４０、及びＰＤＡ５０の機能を説明するためのブロック図
である。
【０１０７】
図１３に示すように、Tablet PC４０は、表示部４１、座標入力制御部４２、アプリケ
ーション動作環境管理部４３、無線タグリーダー／ライター部４４、アプリケーション起動部４５、暗号化部４６、認証部４７、通信部４８、及び情報転送制御部４９などを備えている。同様に、ＰＤＡ５０も、表示部５１、座標入力制御部５２、アプリケーション動作環境管理部５３、無線タグリーダー／ライター部５４、アプリケーション起動部５５、暗号化部５６、認証部５７、通信部５８、及び情報転送制御部５９などを備えている。
【０１０８】
表示部４１（５１）は、ファイル保管部（図示せず）に格納されているファイルやフォルダを表す図柄（いわゆるアイコン）や実行中のアプリケーションなどを表示するための、液晶ディスプレイなどの画像表示装置である。
【０１０９】
座標入力制御部４２（５２）は、電子ペン３０などの入力を認識し、制御するためのものである。座標入力制御部４２（５２）は、表示部４１（５１）の表示面に設けられたいわゆるタッチパネルなどの入力装置を含み、表示部４１（５１）に表示されているアイコンやアプリケーションなどがそのタッチパネルを介して選択（指示、又はタップなど）された場合、その選択されたアイコンやアプリケーションなどの識別子を得る。
【０１１０】
アプリケーション動作環境管理部４３（５３）は、実行中アプリケーションの動作環境（例えば、実行中アプリケーションがWWWブラウザであれば現在表示中にＵＲＬ）を管理
するためのものである。
【０１１１】
無線タグリーダー／ライター部４４（５４）は、無線タグの読み取り及び書き込みを行うためのものである。無線タグリーダー／ライター部４４（５４）は、これに近づけられた電子ペン３０（無線タグ３１の記憶部３３）から情報をそのアンテナ部３２経由で読み取ったり、あるいは電子ペン３０（無線タグ３１の記憶部３３）に情報をそのアンテナ部３２経由で書き込むための装置である。
【０１１２】
アプリケーション起動部４５（５５）は、アプリケーションを起動するためのものである。
【０１１３】
暗号化部４６（５６）は、データを暗号化する (任意機能)ためのものである。暗号化
部４６（５６）は、これに入力されるファイルなどに対して、公知の暗号化アルゴリズムによる暗号化処理を施し、その暗号化後のファイルなどを出力する。
【０１１４】
認証部４７（５７）は、ユーザ又は端末の認証を行う(任意機能)ためのものである。
【０１１５】
通信部４８（５８）は、ネットワーク上で端末間の通信（ネットワーク通信）を行うためのものであり、例えば無線ＬＡＮやブルートゥースなどの公知の無線通信装置である。
【０１１６】
情報転送制御部４９（５９）は、本発明の情報転送処理を制御するためのものであり、例えばＣＰＵなどである。
【０１１７】
なお、ファイル保管部については、図示はしないが、第１及び第２実施形態と同様、各装置４０及び５０が備えている。
＜端末内部シーケンス (転送元端末)＞
次に、上記構成のTablet PC４０における各機能ブロック間のシーケンスについて図１
４を参照しながら説明する。本処理は図１２を参照しながら既に説明した情報転送シーケンス（１）〜（３）に相当する。
（ファイルの選択）
先ず、Tablet PC４０の画面の表示部４１の表示面に表示されているアプリケーション
（本発明の転送候補に相当）の中から、利用者が転送しようと考えているアプリケーション（図１２中Webブラウザを例示）を電子ペン３０でタップする（（Ｃ１））。これによ
り、転送しようとするアプリケーション（図１２中Webブラウザを例示）を選択したこと
になる。
（転送先の取得）
アプリケーションが選択されると、Tablet PC４０においては、その座標入力制御部４
２が、表示面上のタップ位置を認識し、そのタップ位置に表示されたアプリケーション（ここではタップにより選択されたWebブラウザ）の識別子（例えばアプリケーション名）
を得て、これを情報転送制御部４８へ通知する（Ｃ２）。
【０１１８】
情報転送制御部４８は、その通知された識別子により特定されるアプリケーションの動作環境（そのアプリケーションであるWebブラウザが開いているURLなど）を、アプリケーション動作環境管理部５３から入手する（Ｃ３）。なお、Windows（登録商標）やUnix（
登録商標）を含む一般のOSには、Webブラウザが現在アクセスしているURLをOSから入手するAPIが標準に用意されている。
【０１１９】
また、情報転送制御部４８は、その通知をきっかけに無線タグ・リーダー部４４を制御する。これにより、無線タグ・リーダー部４４は、先ほど表示面をタップした電子ペン３０（無線タグ３１の記憶部３３）から転送先ＩＰアドレス及びセキュリティ情報を読み込む。これにより、転送支援情報が取得されたことになる。
（転送）
これらの情報が読み込まれると、情報転送制御部４８は、必要が有れば、認証部４７を制御する。これにより、認証部４７は、先ほど読み込んだセキュリティ情報に基づいてＰＤＡ５０と認証を行う。認証が成功した場合、Tablet PC４０において、その情報転送制
御部４９が、（Ｃ２）及び（Ｃ３）で通知された識別子（アプリケーション名など）及び動作環境の情報（ＵＲＬなど）を（必要があれば暗号化部４６にて暗号化して）、ＰＤＡ５０へ転送する（Ｃ５）。
＜端末内部シーケンス (転送先端末)＞
次に、上記構成のＰＤＡ（転送先端末）５０における各機能ブロック間のシーケンスについて図１５を参照しながら説明する。本処理は図１２を参照しながら既に説明した情報転送シーケンス（４）に相当する。
【０１２０】
ＰＤＡ５０においては、Tablet PC４０から認証要求があると、その認証部５７が、そ
の認証要求を処理し、応答を返す（Ｄ１）。また、ＰＤＡ５０においては、識別子（アプリケーション名など）及び動作環境の情報（ＵＲＬなど）をTablet PC４０から受信する
と、その情報転送制御部５９が、通信部５８にて受信したTablet PC４０からの実行環境
情報を踏まえて、アプリケーション起動部５５にてWebブラウザ（Tablet PC４０から受信した識別子により指定されるアプリケーション）を実行し、同一URL（Tablet PC４０から受信した実行環境情報）へアクセスする。
【０１２１】
これにより、転送元端末（図１２中Tablet PC４０を例示）で作業していたWebブラウザ環境を転送先端末（図１２中ＰＤＡ５０を例示）へ転送支援装置（図１２中電子ペン３０を例示）を用いて転送することが可能となる。
（第４実施形態：実行環境転送 (転送元端末情報，電子ペン)概要）
図１６は、第４実施形態を説明するための図である。図１６に示すように、第４実施形態は、転送元端末（図１６中Tablet PCを例示）４０で作業していたText Editor環境を転送先端末（図１６中ＰＤＡを例示）５０へ転送支援装置（図１６中電子ペンを例示）３０を用いて転送する例である。
【０１２２】
本実施形態では、転送するアプリケーションを選択した時点でアプリケーション情報や利用中ファイルへのポインタ情報などが無線タグに書き込まれる。つまり、本実施形態における無線タグ保有の転送支援情報は転送元端末保有の情報である。
＜情報転送シーケンス＞
図１６を参照しながら、情報転送シーケンスについて説明する。
【０１２３】
先ず、Tablet PC４０の画面に表示されている実行中のアプリケーション（本発明の転
送候補に相当）の中から、利用者が転送しようと考えているアプリケーション（図１６中Text Editorを例示）を、電子ペン３０でタップする（（１））。
【０１２４】
アプリケーションがタップされると、Tablet PC４０においては、その無線タグ・ライ
ター４４が、先ほどタップした電子ペン３０（無線タグ３１の記憶部３３）に、アプリケーション名、ファイル名、ファイルパス、無線LANインタフェースのIPアドレスを書き込
む（（２））。
【０１２５】
次に、ＰＤＡ５０において、その表示部５１の表示面を、先ほどタップしたのと同一の電子ペン３０でタップする（（４））。
【０１２６】
表示面がタップされると、ＰＤＡ５０においては、その無線タグ・リーダー５４が無線タグから記憶情報を読み取る（（５））。
【０１２７】
これらの情報（転送支援情報）が読み取られると、ＰＤＡ５０においては、その通信部５７が、先ほど読み込んだIPアドレス、ファイル名及びファイルパスを用いて、無線LAN
経由でTablet PC４０からファイルを取得する（（６））。ＰＤＡ５０においては、ファ
イルを受信したら、そのアプリケーション起動部５５がText Editorを実行し、Tablet PC４０と同等の環境を提供する。
【０１２８】
これにより、転送元端末（図１６中Tablet PCを例示）４０で作業していたText Editor環境を転送先端末（図１６中ＰＤＡを例示）５０へ転送支援装置（図１６中電子ペンを例示）３０を用いて転送することが可能となる。
【０１２９】
なお、本実施形態における端末の機能ブロック間シーケンスは第２実施形態と第３実施形態の組み合わせであるため、説明を割愛する。
【０１３０】
本発明は、その精神または主要な特徴から逸脱することなく、他の様々な形で実施することができる。このため、上記の実施形態は、あらゆる点で単なる例示にすぎず、限定的に解釈されるものではない。
【０１３１】
本発明は次のように特定することもできる。
【０１３２】
（付記）
（付記１）  転送支援装置と端末とを包含する端末間の情報転送システムであって、前記転送支援装置が、転送支援情報を格納する記憶部と、受信した電波を用いてその記憶部の情報を発信するアンテナ部と、を備え、前記端末が、前記転送支援情報を、前記転送支援装置が備える記憶部からそのアンテナ部経由で読み取るリーダー部と、ネットワーク通信
を行う通信部と、を備え、前記リーダー部が、前記転送支援情報を、前記転送支援装置が備える記憶部からそのアンテナ部経由で読み取り、前記通信部が、この読み取った転送支援情報を基に、他の端末との間で情報転送を行う、端末間情報転送システム。（１）
（付記２）  前記転送支援情報は転送先端末の識別子であり、転送元端末が保有する情報のうち転送しようとする任意情報をその転送元端末が備える表示面を介して指示すると、その転送元端末が、前記転送支援装置が備える記憶部から読み取った転送支援情報が示す転送先端末へ、前記指示された任意情報を転送する、付記１に記載の端末間情報転送システム。（２）
（付記３）  前記転送支援情報は転送元端末が保有する情報へのポインタであり、前記端末が、前記転送支援装置が備える記憶部へ情報をそのアンテナ部経由で書き込むライター部をさらに備え、転送元端末が保有する情報のうち転送しようとする任意情報をその転送元端末が備える表示面を介して指示すると、その転送元端末が、前記指示された情報へのポインタを前記ライター部にて前記記憶部へ書き込み、さらに、転送先端末が備える表示面を指示すると、その転送先端末が、前記記憶部から転送支援情報を読み込み、この転送支援情報で示すポインタを用いて転送元端末から情報を取得する、付記１に記載の端末間情報転送システム。（３）
（付記４）  前記端末間で転送される情報は転送元端末が保有するファイル又はフォルダのうちの少なくとも一方である、付記１から３のいずれかに記載の端末間情報転送システム。
（付記５）  前記端末間で転送される情報は転送元端末が実行しているアプリケーション情報であり、転送先端末はアプリケーション情報を受信したのを契機に転送元端末が実行しているのと同一のアプリケーション環境を提供する、付記１から３のいずれかに記載の端末間情報転送システム。
（付記６）  前記転送支援装置は端末の入力装置である、付記１から５のいずれかに記載の端末間情報転送システム。
（付記７）  前記入力装置は端末の電子ペンである、付記１から６のいずれかに記載の端末間情報転送システム。
（付記８）  転送支援情報を格納する記憶部と受信した電波を用いてその記憶部の情報を発信するアンテナ部は、非接触ICチップにより構成されている、付記１から７のいずれかに記載の端末間情報転送システム。
（付記９）  端末間で情報転送するためのシステムであって、転送元端末と、転送先を特定するための転送先特定情報を格納した記憶部を備える転送支援装置と、を備え、前記転送元端末が、転送候補を表示するためのディスプレイと、そのディスプレイに表示された転送候補のうち転送しようとするものを利用者に選択させる入力手段と、前記転送支援装置が備える記憶部から、前記転送先特定情報を読み取る読み取り手段と、前記選択された転送候補を、前記転送先特定情報により特定される転送先へ送信する手段と、を備える端末間情報転送システム。（４）
（付記１０）  端末間で情報転送するためのシステムであって、転送元端末と、転送先端末と、記憶部を備える転送支援装置と、を備え、前記転送元端末が、転送候補を表示するためのディスプレイと、そのディスプレイに表示された転送候補のうち転送しようとするものを利用者に選択させる入力手段と、前記選択された転送候補へアクセスするための情報を、前記転送支援装置が備える記憶部に書き込む書き込み手段と、を備え、前記転送先端末が、保存先候補を表示するためのディスプレイと、そのディスプレイに表示された保存先候補のうち保存先にしようとするものを利用者に選択させる入力手段と、前記転送支援装置が備える記憶部から、前記選択された転送候補へアクセスするための情報を読み取る読み取り手段と、前記選択された転送候補へアクセスするための情報に基づいて、転送元端末からその選択された転送候補を取得し、前記選択された保存先へ保存する手段と、を備える端末間情報転送システム。（５）
（付記１１）  転送元端末、転送先端末、及び転送先を特定するための転送先特定情報を格納した記憶部を備える転送支援装置端末を包含するシステムにおいて、情報転送するた
めの方法であって、前記転送元端末が、そのディスプレイに転送候補を表示するステップと、前記転送元端末が、その表示された転送候補のうち転送しようとするものを利用者に選択させるステップと、前記転送元端末が、前記転送支援装置が備える記憶部から、前記転送先特定情報を読み取るステップと、前記転送元端末が、前記転送先特定情報により特定される転送先へ、前記選択された転送候補を送信するステップと、を備える端末間情報転送方法。
（付記１２）  転送元端末、転送先端末、及び記憶部を備える転送支援装置端末を包含するシステムにおいて、情報転送するための方法であって、前記転送元端末が、そのディスプレイに転送候補を表示するステップと、前記転送元端末が、そのディスプレイに表示された転送候補のうち転送しようとするものを利用者に選択させるステップと、前記転送元端末が、前記選択された転送候補へアクセスするための情報を、前記転送支援装置が備える記憶部に書き込むステップと、前記転送先端末が、そのディスプレイに保存先候補を表示するステップと、前記転送先端末が、そのディスプレイに表示された保存先候補のうち保存先にしようとするものを利用者に選択させるステップと、前記転送先端末が、前記転送支援装置が備える記憶部から、前記選択された転送候補へアクセスするための情報を読み取るステップと、前記転送先端末が、前記選択された転送候補へアクセスするための情報に基づいて、転送元端末からその選択された転送候補を取得し、前記選択された保存先へ保存するステップと、を備える端末間情報転送方法。
（付記１３）  他の端末間で情報転送するための端末であって、転送候補を表示するためのディスプレイと、そのディスプレイに表示された転送候補のうち転送しようとするものを利用者に選択させる入力手段と、転送支援装置が備える記憶部から、転送先を特定するための転送先特定情報を読み取る読み取り手段と、前記転送先特定情報により特定される転送先へ、前記選択された転送候補を送信する手段と、を備える情報転送端末。
（付記１４）  他の端末間で情報転送するための端末であって、転送候補を表示するためのディスプレイと、そのディスプレイに表示された転送候補のうち転送しようとするものを利用者に選択させる入力手段と、前記選択された転送候補へアクセスするための情報を、転送支援装置が備える記憶部に書き込む書き込み手段と、を備える情報転送端末。
（付記１５）  他の端末間で情報転送するための端末であって、保存先候補を表示するためのディスプレイと、そのディスプレイに表示された保存先候補のうち保存先にしようとするものを利用者に選択させる入力手段と、転送支援装置が備える記憶部から、転送候補へアクセスするための情報を読み取る読み取り手段と、前記転送候補へアクセスするための情報に基づいて、転送元端末からその転送候補を取得し、前記選択された保存先へ保存する手段と、を備える情報転送端末。
（付記１６）  他の端末間で情報転送するための端末を、その端末が備えるディスプレイに表示された転送候補のうち転送しようとするものを利用者に選択させる入力手段、転送支援装置が備える記憶部から、転送先を特定するための転送先特定情報を読み取る読み取り手段、前記転送先特定情報により特定される転送先へ、前記選択された転送候補を送信する手段、として機能させるためのプログラム。
（付記１７）  他の端末間で情報転送するための端末を、その端末が備えるディスプレイに表示された転送候補のうち転送しようとするものを利用者に選択させる入力手段、前記選択された転送候補へアクセスするための情報を、転送支援装置が備える記憶部に書き込む書き込み手段、として機能させるためのプログラム。
（付記１８）  他の端末間で情報転送するための端末を、その端末が備えるディスプレイに表示された保存先候補のうち保存先にしようとするものを利用者に選択させる入力手段、転送支援装置が備える記憶部から、転送候補へアクセスするための情報を読み取る読み取り手段、前記転送候補へアクセスするための情報に基づいて、転送元端末からその転送候補を取得し、前記選択された保存先へ保存する手段、として機能させるためのプログラム。
【産業上の利用可能性】
【０１３３】
本発明によれば、端末間で電子ペンなどの転送支援装置（中継装置ともいう）を用いて情報転送を行う場合に、電子ペンなどの転送支援装置が備えるメモリ容量に制限されることなく、端末間で情報転送を行うことが可能となる。さらに、電子ペンなどの転送支援装置がそのデバイスを動かすための電源を必要しない。
【０１３４】
また、本発明によれば、近隣端末の情報転送において、「物理的」に電子ペンなどの転送支援装置（例えば入力装置）を端末間で動かし、情報を移す。このため、直感的な情報転送方法が実現される。また、転送支援装置（例えば入力装置）に無線タグを用いることにより、メモリチップ、ＣＰＵや電源が不要となることから、コスト的にも有利となる。さらに、転送支援装置（例えば無線タグ）を介して転送支援情報を端末へ渡し、実際の情報転送をネットワーク上で行う方式であるため、従来技術と比較して、転送するデータ量に制限がない。
【図面の簡単な説明】
【０１３５】
【図１】本発明の概念（原理）を説明するための図である。
【図２】本発明の概念（方法１）を説明するための図である。
【図３】本発明の概念（方法２）を説明するための図である。
【図４】本発明の第１実施形態である端末間情報転送システムの概略システム構成を説明するための図である。
【図５】主に、本発明の第１実施形態である端末間情報転送システムに包含される装置の機能を説明するための機能ブロック図である。
【図６】主に、本発明の第１実施形態である端末間情報転送システムに包含される装置の動作を説明するためのシーケンス図である。
【図７】主に、本発明の第１実施形態である端末間情報転送システムに包含される装置の動作を説明するためのシーケンス図である。
【図８】本発明の第２実施形態である端末間情報転送システムの概略システム構成を説明するための図である。
【図９】主に、本発明の第２実施形態である端末間情報転送システムに包含される装置の動作を説明するためのシーケンス図である。
【図１０】主に、本発明の第２実施形態である端末間情報転送システムに包含される装置の動作を説明するためのシーケンス図である。
【図１１】本発明の第２実施形態である端末間情報転送システムの変形例を説明するための図である。
【図１２】本発明の第３実施形態である端末間情報転送システムの概略システム構成を説明するための図である。
【図１３】主に、本発明の第３実施形態である端末間情報転送システムに包含される装置の機能を説明するための機能ブロック図である。
【図１４】主に、本発明の第３実施形態である端末間情報転送システムに包含される装置の動作を説明するためのシーケンス図である。
【図１５】主に、本発明の第２実施形態である端末間情報転送システムに包含される装置の動作を説明するためのシーケンス図である。
【図１６】本発明の第４実施形態である端末間情報転送システムの概略システム構成を説明するための図である。
【符号の説明】
【０１３６】
１０      転送元端末
２０      転送先端末
１１、２１      表示部
１２、２２      座標入力制御部
１３、２３      無線タグリーダー／ライター部
１４、２４      ファイル保管部
１５、２５      暗号化部
１６、２６      認証部
１７、２７      通信部
３０      転送支援装置
３１      無線タグ
３２      アンテナ部
３３      記憶部
４０      転送元端末
５０      転送先端末
４１、５１      表示部
４２、５２      座標入力制御部
４３、５３      アプリケーション動作環境管理部
４４、５４      無線タグリーダー／ライター部
４５、５５      アプリケーション起動部
４６、５６      暗号化部
４７、５７      認証部
４８、５８      通信部
４９、５９      情報転送制御部
【図１】
2005293240.tif 000003
【図２】
2005293240.tif 000004
【図３】
2005293240.tif 000005
【図４】
2005293240.tif 000006
【図５】
2005293240.tif 000007
【図６】
2005293240.tif 000008
【図７】
2005293240.tif 000009
【図８】
2005293240.tif 000010
【図９】
2005293240.tif 000011
【図１０】
2005293240.tif 000012
【図１１】
2005293240.tif 000013
【図１２】
2005293240.tif 000014
【図１３】
2005293240.tif 000015
【図１４】
2005293240.tif 000016
【図１５】
2005293240.tif 000017
【図１６】
2005293240.tif 000018